(57)【要約】【課題】乳房におけるインプラントの有無に応じて適切に放射線の照射条件を設定する。【解決手段】インプラント情報取得部８０が、被写体である乳房Ｍにインプラントが含まれているか否かを表すインプラント情報を取得する。照射条件設定部８２が、インプラント情報に基づいて、インプラント有りの場合に乳房Ｍに照射する放射線の第１の照射条件Ｃ１を設定し、インプラント無しの場合に乳房Ｍに照射する放射線の第２の照射条件Ｃ２を設定する。線源駆動制御部７０は、照射条件設定部８２が設定した照射条件によりＸ線源５０を駆動して乳房Ｍに放射線を照射する。【選択図】図４
2014171569.tif 000002
【特許請求の範囲】
【請求項１】
被写体に放射線を照射する放射線照射手段と、
前記被写体を透過した放射線を検出して前記被写体の放射線画像を取得する放射線画像取得手段と、
前記被写体にインプラントが含まれているか否かを表すインプラント情報を取得するインプラント情報取得手段と、
前記インプラント情報に基づいて、インプラント有りの場合に前記被写体に照射する放射線についての第１の照射条件、およびインプラント無しの場合に前記被写体に照射する放射線についての第２の照射条件のいずれかを設定する照射条件設定手段とを備え、
前記放射線照射手段は、前記照射条件設定手段が設定した照射条件により前記被写体に放射線を照射する手段であることを特徴とする放射線画像撮影装置。
【請求項２】
前記インプラント情報取得手段は、前記放射線画像の取得前に、前記被写体に少ない線量の放射線を照射することにより取得したプレ放射線画像に基づいて、前記インプラント情報を取得する手段であることを特徴とする請求項１記載の放射線画像撮影装置。
【請求項３】
前記第１の照射条件について、インプラント領域内に合わせた照射条件およびインプラント領域外に合わせた照射条件のいずれの照射条件を設定するかを選択する選択手段をさらに備えたことを特徴とする請求項１または２記載の放射線画像撮影装置。
【請求項４】
前記第１および前記第２の照射条件は、前記放射線照射手段における前記放射線を発生させるターゲットおよび前記放射線の高エネルギ成分または低エネルギ成分を選択的に吸収することができるフィルタの組み合わせ、前記放射線照射手段が有する線源の管電圧、該線源の管電流、並びに前記放射線の照射時間の少なくとも１つを含むことを特徴とする請求項１から３のいずれか１項記載の放射線画像撮影装置。
【請求項５】
前記第１の照射条件は、前記第２の照射条件と比較して平均エネルギが高い条件、前記放射線の照射時間が短い条件、前記管電圧および前記管電流により決定される前記放射線の照射線量が大きい条件の少なくとも１つの条件を満たすことを特徴とする請求項４記載の放射線画像撮影装置。
【請求項６】
前記インプラント情報取得手段により前記インプラント情報を取得するか否かを設定する情報取得設定手段をさらに備え、
前記照射条件設定手段は、前記インプラント情報を取得しない設定がなされた場合、第３の照射条件を設定する手段であることを特徴とする請求項１から５のいずれか１項記載の放射線画像撮影装置。
【請求項７】
被写体に放射線を照射し、前記被写体を透過した放射線を検出して前記被写体の放射線画像を取得する放射線画像撮影方法であって、
前記被写体にインプラントが含まれているか否かを表すインプラント情報を取得し、
前記インプラント情報に基づいて、インプラント有りの場合に前記被写体に照射する放射線についての第１の照射条件、およびインプラント無しの場合に前記被写体に照射する放射線についての第２の照射条件のいずれかを設定し、
該設定した照射条件により前記被写体に放射線を照射することを特徴とする放射線画像撮影方法。
【発明の詳細な説明】
【技術分野】
【０００１】
本発明は、乳房等の被写体を撮影して放射線画像を取得する放射線画像撮影装置および方法に関し、とくにインプラントを含む乳房の撮影に適した放射線画像撮影装置および方法に関するものである。
【背景技術】
【０００２】
近年、乳がんの早期発見を促すため、乳房を撮影するための放射線画像撮影装置（マンモグラフィと呼ばれる）を用いた画像診断が注目されている。マンモグラフィで撮影された乳房の放射線画像（乳房画像）は、専用の操作端末等で画像処理された後、医師による診断に供される。医師は、乳房画像をディスプレイに表示して読影することにより、腫瘤や石灰化等の病変の有無を調べる。
【０００３】
このようなマンモグラフィにおいて、高品質な乳房画像を取得するためには、被写体である乳房の放射線透過率に応じた適切な放射線の照射条件を設定する必要がある。とくに被写体が乳房の場合、乳房の厚さおよび乳腺の密度に応じて、放射線の透過率が大きく異なる。このため、乳房の状態に応じて線源の管電圧、管電流、照射時間、放射線を発生させるターゲットの種類、放射線の高エネルギ成分または低エネルギ成分を選択的に吸収することができるフィルタの種類等の照射条件を適切に設定して、過剰な放射線が乳房に照射されてしまうことを防止する必要がある。
【０００４】
ここで、照射条件を設定する手法として、乳房を透過した放射線の線量を検出するＡＥＣ（Automatic Exposure Control）センサをマンモグラフィに設け、被写体に少ない線量の放射線を照射し、その透過放射線の線量をＡＥＣセンサによって検出して、撮影に必要な照射条件を設定するプレ照射を行った後、設定された照射条件からなる放射線を被写体に照射して放射線画像を取得する本照射を行う手法（特許文献１参照）が提案されている。また、プレ照射により得られるプレ放射線画像を解析することにより、本照射の照射条件を設定する手法も提案されている（特許文献２参照）。
【０００５】
ところで、例えば撮影対象である乳房に対して、乳がん手術後の乳房再建手術や美容のための豊胸手術が行われている場合があり、このような場合、乳房にはシリコンあるいは生理食塩水等のインプラントが埋め込まれている。このようなインプラントが埋め込まれた乳房と埋め込まれていない乳房とでは、撮影により取得した乳房画像の画質が大きく異なる。とくにインプラントは放射線の透過線量が小さく、乳房画像中に高輝度の領域として現れる。
【０００６】
ここで、乳房の撮影時における照射条件は、診断の対象となる関心領域である乳腺に合わせて設定することが好ましい。乳腺は放射線の透過量が比較的少ないため、放射線の透過量が比較的少ない領域に基づいて照射条件が設定されることが多い。しかしながら、乳房にインプラントが埋め込まれていると、放射線の透過量が少ないインプラントの領域に基づいて照射条件が設定されてしまい、その結果、過剰な放射線が乳房に照射されてしまうおそれがある。
【０００７】
このため、マンモグラフィにおいて、放射線の透過量が極端に少ない領域をインプラント領域として検出し、検出したインプラント領域を除いて照射条件を設定する手法が提案されている（特許文献３参照）。特許文献３の手法によれば、乳房にインプラントが埋め込まれている場合に適した照射条件を設定することにより、乳房にインプラントが埋め込まれていても、過剰な放射線が乳房に照射されるのを防止することができる。
【先行技術文献】
【特許文献】
【０００８】
【特許文献１】特開２０１２−９６０８４号公報
【特許文献２】特開２００７−２３６８０４号公報
【特許文献３】特表２００９−５０７５９５号公報
【発明の開示】
【発明が解決しようとする課題】
【０００９】
しかしながら、特許文献３に記載された手法を用いてインプラント領域を除いて照射条件を設定した場合、インプラントよりも放射線の透過率が高い乳腺の領域に基づいて照射条件が設定されるため、インプラント領域は殆ど放射線が透過しなくなってしまう。このため、乳房画像においてはインプラントの領域が非常に高輝度で白飛びした画像となり、インプラントに重なる部分に病変が存在する場合、その確認を行うことができなくなってしまう。
【００１０】
また、マンモグラフィにおいては乳房を圧迫板により圧迫して撮影を行うが、乳房にインプラントが埋め込まれている場合、インプラントの損傷を防止するために、乳房をあまり圧迫せずに撮影を行う場合が多い。しかしながら、乳房をあまり圧迫しないで撮影を行うと、撮影中に被写体が動きやすくなり、その結果、乳房画像がぼけてしまうという問題がある。
【００１１】
本発明は上記事情に鑑みなされたものであり、乳房におけるインプラントの有無に応じて適切に放射線の照射条件を設定することを目的とする。
【課題を解決するための手段】
【００１２】
本発明による放射線画像撮影装置は、被写体に放射線を照射する放射線照射手段と、
被写体を透過した放射線を検出して被写体の放射線画像を取得する放射線画像取得手段と、
被写体にインプラントが含まれているか否かを表すインプラント情報を取得するインプラント情報取得手段と、
インプラント情報に基づいて、インプラント有りの場合に被写体に照射する放射線についての第１の照射条件、およびインプラント無しの場合に被写体に照射する放射線についての第２の照射条件のいずれかを設定する照射条件設定手段とを備え、
放射線照射手段は、照射条件設定手段が設定した照射条件により被写体に放射線を照射する手段であることを特徴とするものである。
【００１３】
なお、本発明による放射線画像撮影装置においては、インプラント情報取得手段を、放射線画像の取得前に、被写体に少ない線量の放射線を照射することにより取得したプレ放射線画像に基づいて、インプラント情報を取得する手段としてもよい。
【００１４】
また、本発明による放射線画像撮影装置においては、第１の照射条件について、インプラント領域内に合わせた照射条件およびインプラント領域外に合わせた照射条件のいずれの照射条件を設定するかを選択する選択手段をさらに備えるものとしてもよい。
【００１５】
また、本発明による放射線画像撮影装置においては、第１および第２の照射条件は、放射線照射手段における放射線を発生させるターゲットおよび放射線の高エネルギ成分または低エネルギ成分を選択的に吸収することができるフィルタの組み合わせ、放射線照射手段が有する線源の管電圧、線源の管電流、並びに放射線の照射時間の少なくとも１つを含むものとしてもよい。
【００１６】
この場合、第１の照射条件は、第２の照射条件と比較して平均エネルギが高い条件、放射線の照射時間が短い条件、管電圧および管電流により決定される放射線の照射線量が大きい条件の少なくとも１つの条件を満たすものとしてもよい。
【００１７】
また、本発明による放射線画像撮影装置においては、インプラント情報取得手段によりインプラント情報を取得するか否かを設定する情報取得設定手段をさらに備えるものとし、
照射条件設定手段を、インプラント情報を取得しない設定がなされた場合、第３の照射条件を設定する手段としてもよい。
【００１８】
第３の照射条件とは、インプラントの有無を考慮することなく設定される照射条件である。第３の照射条件は、第１および第２の照射条件と必ずしも異なる必要はなく、例えばインプラントが含まれない被写体の場合は、インプラント無しの場合に被写体に照射する放射線についての第２の照射条件と同一となる場合がある。
【００１９】
本発明による放射線画像撮影方法は、被写体に放射線を照射し、被写体を透過した放射線を検出して被写体の放射線画像を取得する放射線画像撮影方法であって、
被写体にインプラントが含まれているか否かを表すインプラント情報を取得し、
インプラント情報に基づいて、インプラント有りの場合に被写体に照射する放射線についての第１の照射条件、およびインプラント無しの場合に被写体に照射する放射線についての第２の照射条件のいずれかを設定し、
設定した照射条件により被写体に放射線を照射することを特徴とするものである。
【発明の効果】
【００２０】
本発明によれば、被写体にインプラントが含まれているか否かを表すインプラント情報が取得され、インプラント情報に基づいて、インプラント有りの場合に被写体に照射する放射線についての第１の照射条件が設定され、インプラント無しの場合に被写体に照射する放射線についての第２の照射条件が設定され、設定された照射条件により被写体に放射線が照射されて放射線画像が取得される。このため、被写体におけるインプラントの有無に応じて、放射線の照射条件を適切に設定できる。
【図面の簡単な説明】
【００２１】
【図１】第１の実施形態による放射線画像撮影装置を含む医療画像支援システムの構成を示す概略ブロック図
【図２】マンモグラフィ撮影装置の構成を示す概略図
【図３】Ｘ線源の構成を示す概略図
【図４】第１の実施形態におけるマンモグラフィ撮影装置および制御装置を構成する制御回路のブロック図
【図５】プレ放射線画像を解析してのインプラント情報の取得を説明するための図
【図６】線量テーブルを示す図
【図７】第１の実施形態において行われる処理を示すフローチャート
【図８】第２の実施形態におけるマンモグラフィ撮影装置および制御装置を構成する制御回路のブロック図
【図９】第２の実施形態において行われる処理を示すフローチャート
【図１０】第３の実施形態におけるマンモグラフィ撮影装置および制御装置を構成する制御回路のブロック図
【図１１】第３の実施形態において行われる処理を示すフローチャート
【発明を実施するための形態】
【００２２】
以下、図面を参照して本発明の実施形態について説明する。図１は本発明の第１の実施形態による放射線画像撮影装置を適用した医療画像支援システムの構成を示す概略ブロック図である。図１に示すように、このシステム１０は、医用施設等に設置されたマンモグラフィ撮影装置１２と、マンモグラフィ撮影装置１２を制御する制御装置１４と、マンモグラフィ撮影装置１２で撮影された乳房画像に対して画像処理を施す画像処理装置１６と、乳房画像を保存する画像データベース（画像ＤＢ）１８と、高精細なモニタ（不図示）を有する、読影を行う医師の端末装置２０とから構成されている。これらの装置は、ネットワーク２２により相互に接続されている。なお、マンモグラフィ撮影装置１２および制御装置１４が本発明の放射線画像撮影装置を構成する。
【００２３】
図２はマンモグラフィ撮影装置１２の構成を示す概略図である。図２に示すように、マンモグラフィ撮影装置１２は、立設状態に設置される基台３０と、基台３０の略中央部に配設される旋回軸３２に固定されるアーム部材３４と、被験者３６の乳房に対して放射線（Ｘ線）を曝射するＸ線源を収納し、アーム部材３４の一端部に固定されるＸ線源収納部３８と、乳房を透過したＸ線を検出して乳房の放射線画像である乳房画像を取得する固体検出器を収納し、アーム部材３４の他端部に固定される撮影台４０と、撮影台４０に対して乳房を圧迫する圧迫板４２とを備えている。
【００２４】
Ｘ線源収納部３８、撮影台４０および圧迫板４２が連結されたアーム部材３４は、旋回軸３２を中心として図１の矢印Ａ方向に旋回することで、被験者３６の乳房に対する撮影方向が調整可能に構成される。圧迫板４２は、アーム部材３４に連結された状態でＸ線源収納部３８および撮影台４０間に配設されており、図１の矢印Ｂ方向に変位可能に構成される。
【００２５】
Ｘ線源収納部３８には、被験者３６の顔面近傍をＸ線の曝射から保護するため、Ｘ線を遮断する部材からなるフェースガードシート４４が配設される。また、基台３０には、被験者３６の撮影部位および撮影方向等の撮影情報、並びに被験者３６のＩＤ情報等を表示するとともに、必要に応じて、圧迫板４２による乳房の圧迫状態が解除されるまでの圧迫残り時間の情報を表示する表示器４６が配設される。
【００２６】
図３は、Ｘ線源収納部３８に収納されるＸ線源の構成を示す概略図である。Ｘ線源５０は、電子線ｅを出力するフィラメント５２と、電子線ｅが衝突することでＸ線ｘを発生させるターゲット５４と、Ｘ線ｘのエネルギスペクトルを調整するフィルタ５５とを備える。陰極のフィラメント５２と陽極のターゲット５４との間には、後述するように設定された照射条件に従って所定の管電圧が印加される。フィラメント５２およびターゲット５４は、絶縁油が充填された真空外囲器５６に収納される。フィラメント５２は、真空外囲器５６の一端部に配設されるフィラメントホルダ５８に保持され、図３の矢印Ａ方向に移動可能に構成される。ターゲット５４は、真空外囲器５６の他端部に配設されるターゲットホルダ６０にモータ６２を介して保持され、図３の矢印Ｂ方向に回転可能に構成される。
【００２７】
ターゲット５４には、複数の異なる陽極物質、例えば、Ｍｏ（モリブデン）、Ｒｈ（ロジウム）、Ｗ（タングステン）が径方向の異なる位置に配設され、フィラメント５２を図３の矢印Ａ方向に移動させることで、ターゲット５４に対する電子線ｅの入射位置を切り替えることができる。これにより、ターゲット５４から発生するＸ線ｘのエネルギスペクトルを陽極物質に従って選択することができる。
【００２８】
ターゲット５４から発生したＸ線ｘは、真空外囲器５６に形成したＢｅの放射窓６４を介して出力され、フィルタ５５を通過して撮影台４０に照射される。フィルタ５５は、複数の異なる物質、例えば、Ｍｏ、Ｒｈが図３の矢印Ｃ方向に配列され、フィルタ移動部６６により図３の矢印Ｃ方向に移動することで、Ｘ線ｘが通過する物質が選択可能に構成される。なお、フィルタ５５を構成する物質としては、上記のもの以外に、Ｎｂ（ニオブ）、Ａｇ（銀）、あるいはこれらの単体を組み合わせた複合材料を用いることができる。
【００２９】
図４は第１の実施形態におけるマンモグラフィ撮影装置および制御装置を構成する制御回路のブロック図である。マンモグラフィ撮影装置１２を制御する制御装置１４は、設定された照射条件に従ってＸ線源５０を駆動制御する線源駆動制御部７０と、圧迫板４２を駆動制御し、被験者３６の乳房Ｍを撮影台４０に対して圧迫する圧迫板駆動制御部７２と、撮影台４０に収納されている固体検出器７４を制御し、放射線画像を取得する検出器制御部７６と、乳房Ｍにインプラントが含まれているか否かを表すインプラント情報を取得するインプラント情報取得部８０と、撮影時の照射条件を設定する照射条件設定部８２と、後述する線量テーブルを含む各種情報を記憶する記憶部８４とを備える。なお、制御装置１４には、制御装置１４に対して各種入力を行うための入力部９０が接続されている。入力部９０は、例えばキーボード、マウス等の他、タッチパネル、操作ボタン等を用いることができる。
【００３０】
以上述べたインプラント情報取得部８０、照射条件設定部８２、記憶部８４、および入力部９０は、例えば一般的なパーソナルコンピュータ等のコンピュータシステムから構成することができる。
【００３１】
上述した照射条件とは、乳房Ｍに照射するＸ線のエネルギスペクトル（線質）を調整して適切なコントラストを有する乳房画像を得るための条件であり、例えば、Ｘ線源５０を構成するターゲット５４の種類、フィルタ５５の種類、フィラメント５２とターゲット５４との間に印加される管電圧、および照射線量（管電流×放射線照射時間）を挙げることができる。
【００３２】
ここで、本実施形態においては、乳房画像の取得の前に、乳房Ｍに少ない線量の放射線を照射するプレ照射を行い、プレ照射により得られるプレ放射線画像ＰＧを解析することにより、インプラント情報の取得および照射条件の設定を行い、設定された照射条件によりＸ線を乳房Ｍに照射して放射線画像の撮像を行う本照射を行うものである。なお、プレ照射による乳房Ｍの撮影をプレ撮影、本照射による乳房Ｍの撮影を本撮影と称するものとする。
【００３３】
インプラント情報取得部８０は、プレ放射線画像ＰＧを解析してインプラント情報を取得する。図５はプレ放射線画像ＰＧを解析してのインプラント情報の取得を説明するための図である。図５に示すように、プレ放射線画像ＰＧには乳房Ｍの像が含まれている。なお、乳房Ｍの像にはインプラントの像が含まれている。インプラント情報取得部８０は、プレ放射線画像において胸壁側となる辺に平行な矢印Ａ方向において、画素値のプロファイルを取得する。ここで、乳房Ｍに埋め込まれたインプラントはＸ線の透過線量が小さく、プレ放射線画像ＰＧにおいては高輝度の領域Ｓ０として現れ、矢印Ａ方向においては、乳房Ｍにおける乳腺の部分の画素値の変化と比較して、変化量が小さい。このため、インプラント情報取得部８０は、例えば特開２０１１−１０８８４号公報に記載されているように、プレ放射線画像ＰＧから矢印Ａ方向についての２つのプロファイルを取得し、２つのプロファイルに基づいて差分プロファイルを算出し、差分プロファイルに基づいてその中央を含む範囲のばらつき量（標準偏差）を求め、ばらつき量がしきい値以下の場合、乳房Ｍにはインプラントが含まれると判断する。
【００３４】
なお、インプラント領域とインプラントでない領域とがあらかじめ分かっている多数の乳房画像における濃度およびコントラスト等の特徴量を、公知のマシンラーニングの手法を用いて学習を行うことにより判別器を作成し、この判別器を用いてプレ放射線画像ＰＧに含まれるインプラントらしさを表すスコアを算出し、グラフカット法等の公知の領域分割手法を用いて、インプラントと見なせる領域を認識するようにしてもよい。そして、インプラントと見なせる領域が、プレ放射線画像ＰＧにおける乳房Ｍの領域に対して所定割合（例えば１０％）以上である場合には、撮影する乳房Ｍにはインプラントが埋め込まれていると判断するようにしてもよい。
【００３５】
一方、乳房Ｍの撮影を行う前には、圧迫によるインプラントの損傷を防止するために、問診により患者に対してインプラントの有無を問い合わせる必要がある。このため、技師が問診の結果に基づいて、入力部９０からインプラントの有無を入力するようにし、インプラント情報取得部８０は技師が入力したインプラントの有無の情報に基づいて、インプラント情報を取得するようにしてもよい。さらに、同一患者について経過観察を行うために乳房画像を取得する場合には、画像データベース１８に保存されている同一患者についてインプラントが埋め込まれているか否かを確認できる。このため、インプラント情報取得部８０は、画像データベース１８に保存されている同一患者の情報を参照して、インプラント情報を取得するようにしてもよい。
【００３６】
照射条件設定部８２は、インプラント情報を用いて乳房Ｍの本撮影時におけるＸ線の照射条件を設定する。以下、照射条件の設定について説明する。照射条件設定部８２は、まず、圧迫板駆動制御部７２から供給される圧迫板４２の位置情報に基づいて、乳房Ｍの厚さを算出する。ここで、本実施形態においては、記憶部８４に照射条件を設定するための線量テーブルが記憶されている。図６は線量テーブルを示す図である。図６に示すように、本実施形態においては、インプラントが埋め込まれている場合、すなわちインプラント有り用の線量テーブルＴ１と、インプラントが埋め込まれていない場合、すなわちインプラント無し用の線量テーブルＴ２とが記憶部８４に記憶されている。各線量テーブルＴ１，Ｔ２は、乳房Ｍの厚さ（ｍｍ）に応じた、ターゲットおよびフィルタの組み合わせ（Ｔ／Ｆ）、管電圧（ｋＶ）および透過線量が対応づけられている。
【００３７】
ここで、Ｘ線の被写体透過力は高エネルギであるほど強くなる。Ｘ線のエネルギ分布は、Ｘ線源５０のターゲットとフィルタとの組み合わせおよび管電圧により決定される。例えば、ターゲットがＷの場合、Ｍｏをターゲットとした場合よりもＸ線は高エネルギとなる。また、フィルタはＭｏよりもＲｈを用いた方がＸ線は高エネルギとなり、管電圧は高いほどＸ線は高エネルギとなる。
【００３８】
このため、インプラント有り用の線量テーブルＴ１においては、乳房ＭにおけるＸ線の透過力を高くするために、高エネルギのＸ線が乳房Ｍに照射されるように、ターゲット／フィルタの組み合わせ、管電圧および透過線量が設定されている。これにより、インプラント有りの場合、固体検出器７４に乳房Ｍを透過したＸ線が到達するようになる。逆に、インプラント無し用の線量テーブルＴ２においては、インプラント有りの場合と比較して、低エネルギのＸ線が乳房Ｍに照射されるように、ターゲット／フィルタの組み合わせ、管電圧および透過線量が設定されている。
【００３９】
照射条件設定部８２は、インプラント有りの場合、線量テーブルＴ１を参照し、乳房Ｍの厚さに基づいて、ターゲット／フィルタの組み合わせ、管電圧および透過線量を照射条件として設定する。例えば、乳房Ｍの厚さが３０ｍｍである場合、ターゲット／フィルタの組み合わせとしてＷ／Ｒｈが、管電圧として２９ｋＶが、透過線量として１．２が設定される。また、インプラント無しの場合、線量テーブルＴ２を参照し、乳房Ｍの厚さに基づいて、ターゲット／フィルタの組み合わせ、管電圧および透過線量を照射条件として設定する。なお、線量テーブルＴ１，Ｔ２においては、乳房Ｍの厚さは１０ｍｍ間隔で離散的に規定されているため、線量テーブルＴ１，Ｔ２に規定されていない乳房の厚さにおける管電圧および透過線量の値は、隣接する乳房の厚さの値における管電圧および透過線量の値を用いた補間演算により算出すればよい。
【００４０】
さらに、照射条件設定部８２は、設定された透過線量となるように、プレ放射線画像ＰＧの解析結果を用いて、照射線量（ｍＡｓ）を決定するための管電流および照射時間を照射条件として設定する。照射条件設定部８２は、上述したプレ放射線画像ＰＧを解析して管電流および照射時間を設定する。具体的には、プレ放射線画像ＰＧを解析してインプラント領域を認識し、インプラント領域を除いた領域の画素値のヒストグラムを作成する。そして、上述した特許文献２に記載された手法を用いて、ヒストグラムにおける乳腺に対応する画素値を有する画素領域を乳腺領域として抽出し、乳腺領域の画素値およびプレ撮影時の照射線量から、乳腺領域の透過線量を算出する。なお、インプラント情報取得部８０においてインプラント領域を認識した場合は、インプラント領域情報を取得してプレ放射線画像を解析することが好ましい。そして、プレ撮影時の乳腺領域の透過線量と、線量テーブルＴ１を参照して設定した透過線量との差分と、本撮影時の照射線量（すなわち管電流および照射時間）とを対応づけた不図示のテーブルＴ３を参照して、本撮影時の照射線量すなわち管電流および照射時間を設定する。
【００４１】
なお、照射線量は、管電流（ｍＡ）×照射時間（ｓｅｃ）により決定される値である。ここで、撮影時においては、Ｘ線の照射時間をできるだけ短くして、体動による放射線画像のぼけを防止することが好ましい。とくに、乳房Ｍにインプラントが埋め込まれている場合には、インプラントの損傷を防止するために、乳房Ｍをあまり圧迫せずに撮影を行う場合が多い。しかしながら、乳房Ｍをあまり圧迫しないで撮影を行うと、体動による乳房画像がぼけてしまうおそれがある。このため、テーブルＴ３は、Ｘ線の照射時間ができるだけ短くなるように、管電流および照射時間を設定するものとなっている。設定された管電流および照射時間は、ターゲット／フィルタの組み合わせ、管電圧とともに照射条件Ｃ１として線源駆動制御部７０に供給される。
【００４２】
一方、インプラント無しの場合には、ヒストグラムにおける乳腺に対応する画素値を有する画素領域を乳腺領域として抽出し、乳腺領域の画素値およびプレ撮影時の照射線量から、乳腺領域の透過線量を算出する。そして、プレ撮影時の乳腺領域の透過線量と、線量テーブルＴ２を参照して設定した透過線量との差分と、本撮影時の照射線量（すなわち管電流および照射時間）とを対応づけた不図示のテーブルＴ４を参照して、本撮影時の管電流および照射時間を設定する。設定された管電流および照射時間は、ターゲット／フィルタの組み合わせ、管電圧とともに照射条件Ｃ２として線源駆動制御部７０に供給される。なお、テーブルＴ３，Ｔ４は記憶部８４に記憶されている。
【００４３】
インプラント有りの場合の照射条件Ｃ１は、インプラント無しの場合の照射条件Ｃ２よりも高エネルギのＸ線を照射されるように設定されているため、Ｘ線はインプラント領域を透過して固体検出器７４に検出されるようになる。このため、本撮影により取得される乳房画像において、インプラントと重なる組織を観察することが可能となる。
【００４４】
ここで、インプラント有りの場合とインプラント無しの場合とで、乳房Ｍに対する被曝線量は同等であることが好ましい。しかしながら、インプラントと重なる領域における組織をより観察しやすくするために、インプラント有りの場合の照射条件Ｃ１については、照射線量をより多くするようにしてもよい。例えば、照射条件Ｃ２の場合の１．２倍程度となるように照射条件Ｃ１を設定してもよい。
【００４５】
なお、照射条件設定部８２においては、上記特許文献１に記載されたように、マンモグラフィ撮影装置１２にＡＥＣセンサを設け、プレ放射線画像ＰＧに代えて、ＡＥＣセンサによる検出結果を用いて照射条件Ｃ１，Ｃ２を設定するようにしてもよい。
【００４６】
画像処理装置１６は、本撮影により取得された乳房画像に対して、所定の画像処理条件に基づく画像処理を行う。画像処理条件としては、例えば、放射線画像の規格化処理条件、周波数処理条件、ノイズフィルタリング処理条件、ダイナミックレンジ調整処理条件、および階調処理条件等を挙げることができる。なお、画像処理装置１６には、液晶ディスプレイ等の表示部９２が接続されており、処理済みの放射線画像を表示部９２に表示することにより、画像の確認を行うことができるようになっている。
【００４７】
次いで、第１の実施形態において行われる処理について説明する。図７は第１の実施形態において行われる処理を示すフローチャートである。技師は、マンモグラフィ撮影装置１２の撮影台４０に対して、乳房Ｍをポジショニングした後（ステップＳＴ１）、圧迫板駆動制御部７２により圧迫板４２を移動させ、乳房Ｍを圧迫する（ステップＳＴ２）。乳房Ｍが所望の状態に圧迫されたところで、圧迫板４２の移動を停止させ、そのときの乳房Ｍの厚さを照射条件設定部８２により算出する（ステップＳＴ３）。照射条件設定部８２は、圧迫板駆動制御部７２から圧迫板４２の撮影台４０に対する位置情報を取得し、この位置情報から乳房Ｍの厚さを算出する。算出された厚さの情報は、表示器４６に表示される。
【００４８】
次いで、技師によりプレ撮影の設定がマンモグラフィ撮影装置１２に対して行われ、図示しない撮影スイッチがオンとされると、線源駆動制御部７０はＸ線源５０を駆動し、プレ撮影の照射条件に従ったＸ線を乳房Ｍに照射して、乳房Ｍのプレ撮影を行う（ステップＳＴ４）。この撮影により固体検出器７４に記録された乳房Ｍのプレ放射線画像ＰＧは、検出器制御部７６によって読み取られ、制御装置１４に供給される。
【００４９】
制御装置１４のインプラント情報取得部８０は、プレ放射線画像ＰＧを解析して、乳房Ｍにおけるインプラントの有無を表すインプラント情報を取得する（ステップＳＴ５）。次いで、照射条件設定部８２は、インプラント情報に基づいて、本撮影の際の照射条件を設定する。すなわち、インプラント情報がインプラント有りの場合には、線量テーブルＴ１およびプレ放射線画像ＰＧの解析結果に基づいて、インプラント有り用の照射条件Ｃ１を設定する（ステップＳＴ６）。一方、インプラント情報がインプラント無しの場合には、線量テーブルＴ２およびプレ放射線画像ＰＧの解析結果に基づいて、インプラント無し用の照射条件Ｃ２を設定する（ステップＳＴ７）。設定された照射条件Ｃ１，Ｃ２は、線源駆動制御部７０に供給される。
【００５０】
線源駆動制御部７０は、設定された照射条件に従ってフィラメント５２を図３の矢印Ａ方向に移動させ、ターゲット５４を選択する。また、線源駆動制御部７０は、設定された照射条件に従い、フィルタ移動部６６を駆動してフィルタ５５を図３の矢印Ｃ方向に移動させ、フィルタ５５を選択する。
【００５１】
次いで、技師により図示しない撮影スイッチがオンとされると、線源駆動制御部７０はＸ線源５０を駆動し、設定された照射条件に従ったＸ線を乳房Ｍに照射して、乳房Ｍの本撮影を行う（ステップＳＴ８）。この撮影により固体検出器７４に記録された乳房Ｍの放射線画像である乳房画像が検出器制御部７６によって読み取られ、画像処理装置１６に供給される。
【００５２】
画像処理装置１６は、乳房画像に対して所定の画像処理条件に基づく画像処理を行い、処理済みの放射線画像を取得する（ステップＳＴ９）。すなわち、乳房画像を解析して、乳房画像の規格化処理条件、周波数処理条件、ノイズフィルタリング処理条件、ダイナミックレンジ調整処理条件、および階調処理条件を設定する。そして、設定された画像処理条件により、乳房画像に対して画像処理を行う。なお、インプラント有りの照射条件Ｃ１が設定された場合、Ｘ線は高エネルギとなるため、乳房画像のコントラストが低下してしまう。このため、照射条件Ｃ１が設定された場合には、コントラストを高くするように階調処理条件および周波数処理条件を設定することが好ましい。
【００５３】
以上のようにして画像処理された乳房画像は、表示部９２に表示されて、技師による確認が行われ（ステップＳＴ１０）、処理を終了する。
【００５４】
このように、第１の実施形態においては、インプラント情報に基づいて、インプラント有りの場合にはインプラント有り用の照射条件Ｃ１を設定し、インプラント無しの場合にはインプラント無し用の照射条件Ｃ２を設定するようにしたものである。このため、乳房Ｍにおけるインプラントの有無に応じて、Ｘ線の照射条件を適切に設定できる。
【００５５】
また、プレ放射線画像ＰＧに基づいてインプラント情報を取得しているため、正確にインプラント情報を取得でき、これにより、本撮影時のＸ線の照射条件をより適切に設定できる。
【００５６】
次いで、本発明の第２の実施形態について説明する。なお、第２の実施形態による放射線画像撮影装置を適用した医療画像支援システムは、制御装置の構成のみが第１の実施形態と異なるため、ここでは医療画像支援システムの構成についての詳細な説明は省略する。
【００５７】
図８は第２の実施形態におけるマンモグラフィ撮影装置および制御装置を構成する制御回路のブロック図である。なお、第２の実施形態において第１の実施形態と同一の構成については同一の参照番号を付与し、ここでは詳細な説明は省略する。第２の実施形態は、制御装置１４Ａにおいて、インプラント有り用の照射条件Ｃ１について、インプラント領域内に合わせた照射条件に設定するか、インプラント領域外に合わせた照射条件に設定するかを、入力部９０からの指示により選択する選択部８６を備えた点が第１の実施形態と異なる。
【００５８】
ここで、上記第１の実施形態においては、インプラント有りの場合、プレ放射線画像ＰＧにおける乳腺領域の解析結果および線量テーブルＴ１に基づいて照射条件Ｃ１を設定しているため、本撮影により取得される乳房画像において、インプラント領域についても組織を観察することはできる。しかしながら、インプラント領域に重なる病変等をより詳細に観察したい場合がある。
【００５９】
このため、第２の実施形態においては、選択部８６において、インプラント領域外に合わせた照射条件を設定するか、インプラント領域外に合わせた照射条件を設定するかを、技師による入力部９０からの入力により選択するようにしたものである。
【００６０】
照射条件設定部８２は、選択部８６によりインプラント領域外に合わせた照射条件を設定する選択がなされている場合、上記第１の実施形態と同様に、線量テーブルＴ１およびプレ放射線画像ＰＧにおける乳腺領域についての解析結果に基づいて、インプラント領域外に合わせた照射条件（Ｃ１−１とする）を設定する。
【００６１】
一方、選択部８６によりインプラント領域内に合わせた照射条件を設定する選択がなされている場合、線量テーブルＴ１およびプレ放射線画像ＰＧにおけるインプラント領域についての解析結果に基づいて、インプラント領域内に合わせた照射条件（Ｃ１−２とする）を設定する。具体的には、プレ放射線画像ＰＧのヒストグラムを作成し、ヒストグラムにおけるインプラントに対応する画素値を有する画素領域をインプラント領域として抽出し、インプラント領域の画素値およびプレ撮影時の照射線量から、インプラント領域の透過線量を算出する。そして、プレ撮影時のインプラント領域の透過線量と、線量テーブルＴ１を参照して設定した透過線量との差分と、本撮影時の照射線量とを対応づけたテーブルＴ５を参照して、本撮影時の照射線量すなわち管電流および照射時間を設定する。なお、テーブルＴ５はインプラント領域内に合わせた照射条件を設定するために、あらかじめ作成されて記憶部８４に記憶されている。
【００６２】
次いで、第２の実施形態において行われる処理について説明する。図９は第２の実施形態において行われる処理を示すフローチャートである。なお、第２の実施形態においては、第１の実施形態のフローチャートにおけるステップＳＴ５以降の処理のみが異なるため、ここでは、ステップＳＴ５以降の処理についてのみ説明する。
【００６３】
第１の実施形態のステップＳＴ４に続いて、インプラント情報取得部８０がインプラント情報を取得すると（ステップＳＴ１１）、照射条件設定部８２は、選択部８６によりインプラント外の領域に基づく照射条件の設定が選択されているか否かを判定する（インプラント外が選択、ステップＳＴ１２）。ステップＳＴ１２が肯定されると、照射条件設定部８２は、線量テーブルＴ１およびプレ放射線画像ＰＧの乳腺領域についての解析結果に基づいて、インプラント領域外に合わせた照射条件Ｃ１−１を設定する（ステップＳＴ１３）。一方、ステップＳＴ１２が否定されると、照射条件設定部８２は、線量テーブルＴ１およびプレ放射線画像ＰＧのインプラント領域についての解析結果に基づいて、インプラント領域内に合わせた照射条件Ｃ１−２を設定する（ステップＳＴ１４）。
【００６４】
一方、インプラント情報がインプラント無しの場合には、線量テーブルＴ２およびプレ放射線画像ＰＧの解析結果に基づいて、インプラント無し用の照射条件Ｃ２を設定する（ステップＳＴ１５）。
【００６５】
設定された照射条件は、線源駆動制御部７０に供給される。線源駆動制御部７０は、設定された照射条件に従ってフィラメント５２を図３の矢印Ａ方向に移動させ、ターゲット５４を選択する。また、線源駆動制御部７０は、設定された照射条件に従い、フィルタ移動部６６を駆動してフィルタ５５を図３の矢印Ｃ方向に移動させ、フィルタ５５を選択する。次いで、技師により図示しない撮影スイッチがオンとされると、線源駆動制御部７０はＸ線源５０を駆動し、設定された照射条件に従ったＸ線を乳房Ｍに照射して、本撮影を行う（ステップＳＴ１６）。この撮影により固体検出器７４に記録された乳房Ｍの放射線画像である乳房画像、検出器制御部７６によって読み取られ、画像処理装置１６に供給される。画像処理装置１６は、乳房画像に対して、所定の画像処理条件に基づく画像処理を行い、処理済みの放射線画像を取得する（ステップＳＴ１７）。以上のようにして画像処理された乳房画像は、表示部９２に表示されて、技師による確認が行われ（ステップＳＴ１８）、処理を終了する。
【００６６】
このように、第２の実施形態においては、乳房Ｍにインプラントが含まれる場合に、インプラント領域外に合わせた照射条件Ｃ１−１を取得するか、インプラント領域内に合わせた照射条件Ｃ１−２を取得するかの選択を受け付けるようにしたものである。このため、インプラントに重なる領域の観察を行いたい場合、およびインプラントに重なる領域以外の観察を行いたい場合の双方に対応できる。
【００６７】
次いで、本発明の第３の実施形態について説明する。なお、第３の実施形態による放射線画像撮影装置を適用した医療画像支援システムは、制御装置の構成のみが第１の実施形態と異なるため、ここでは医療画像支援システムの構成についての詳細な説明は省略する。
【００６８】
図１０は第３の実施形態におけるマンモグラフィ撮影装置および制御装置を構成する制御回路のブロック図である。なお、第３の実施形態において第１の実施形態と同一の構成については同一の参照番号を付与し、ここでは詳細な説明は省略する。
【００６９】
ここで、上記第１の実施形態においては、インプラント情報取得部８０においてインプラントの有無を表すインプラント情報を取得し、インプラント情報を用いて照射条件Ｃ１，Ｃ２を設定している。しかしながら、インプラント領域の認識の精度にもよるが、乳房Ｍのインプラント領域を１００％正確に認識することは困難である。また、インプラントが埋め込まれていない乳房Ｍに含まれる乳腺領域を、インプラントと誤認識してしまうおそれもある。このように、インプラント領域を正確に認識できない場合には、照射条件を適切に設定することができないため、インプラント情報を使用せずに照射条件を設定することが好ましい。とくに、照射条件が適切に設定されず、取得された乳房画像の画質が満足のいくものではなかった場合は、再撮影を行う必要があるが、その場合には、インプラント情報を使用して照射条件を再度設定することは好ましくない。
【００７０】
第３の実施形態においては、制御装置１４Ｂにおいて、入力部９０からの入力により、インプラント情報取得部８０においてインプラント情報を取得するか否かを設定する情報取得設定部８８をさらに備え、インプラント情報を取得しない設定がなされた場合、照射条件設定部８２は、インプラント情報を使用せず、プレ放射線画像ＰＧの解析結果にのみ基づいて、本撮影の照射条件を設定するようにした点が第１の実施形態と異なる。
【００７１】
次いで、第３の実施形態において行われる処理について説明する。図１１は第３の実施形態において行われる処理を示すフローチャートである。なお、第３の実施形態においては、第１の実施形態のフローチャートにおけるステップＳＴ５以降の処理のみが異なるため、ここでは、ステップＳＴ５以降の処理についてのみ説明する。
【００７２】
第１の実施形態のステップＳＴ４の処理に続いて、インプラント情報取得部８０は、情報取得設定部８８により、インプラント情報の取得が設定されているか否かを判定する（ステップＳＴ２１）。ステップＳＴ２１が肯定されると、第１の実施形態におけるのステップＳＴ５の処理に進む。なお、ステップＳＴ５以降の処理は第１の実施形態と同一であるため、ここでは詳細な説明は省略する。
【００７３】
ステップＳＴ２１が否定されると、照射条件設定部８２は、インプラント情報を使用することなく照射条件Ｃ３を設定する（ステップＳＴ２２）。具体的には、プレ放射線画像ＰＧを解析し、プレ放射線画像ＰＧにおける乳腺領域の画素値に基づいて、乳房Ｍの厚さに応じた、ターゲットおよびフィルタの組み合わせ、管電圧および透過線量が対応づけられている線量テーブルを参照して、照射条件Ｃ３を設定する。ここで、プレ放射線画像ＰＧの解析においては、インプラント領域の認識は行わず、インプラントの有無を考慮せずに乳腺領域の画素値を算出する。なお、この線量テーブルとしては、上記第１の実施形態におけるインプラント無し用の線量テーブルＴ２を用いてもよい。線量テーブルＴ２を用いた場合、照射条件Ｃ３は照射条件Ｃ２と同一となる。なお、インプラント情報を使用しない場合用として用意された線量テーブルを用いてもよい。設定された照射条件は、線源駆動制御部７０に供給される。
【００７４】
線源駆動制御部７０は、設定された照射条件Ｃ３に従ってフィラメント５２を図３の矢印Ａ方向に移動させ、ターゲット５４を選択する。また、線源駆動制御部７０は、設定された照射条件に従い、フィルタ移動部６６を駆動してフィルタ５５を図３の矢印Ｃ方向に移動させ、フィルタ５５を選択する。次いで、技師により図示しない撮影スイッチがオンとされると、線源駆動制御部７０はＸ線源５０を駆動し、設定された照射条件に従ったＸ線を乳房Ｍに照射して、本撮影を行う（ステップＳＴ２３）。この撮影により固体検出器７４に記録された乳房Ｍの放射線画像である乳房画像、検出器制御部７６によって読み取られ、画像処理装置１６に供給される。画像処理装置１６は、乳房画像に対して、所定の画像処理条件に基づく画像処理を行い、処理済みの放射線画像を取得する（ステップＳＴ２４）。以上のようにして画像処理された乳房画像は、表示部９２に表示されて、技師による確認が行われ（ステップＳＴ２５）、処理を終了する。
【００７５】
このように、第３の実施形態においては、インプラント情報を取得しない設定がなされた場合に、インプラント情報を使用することなく照射条件Ｃ３を設定するようにしたため、インプラント領域の誤認識を防止して、適切に本撮影の照射条件を設定することができる。
【００７６】
なお、上記第３の実施形態においては、第１の実施形態における制御装置に情報取得設定部８８を設けているが、第２の実施形態における制御装置に情報取得設定部８８を設けるようにしてもよい。この場合、インプラント情報を取得する設定がなされた場合は、第２の実施形態におけるステップＳＴ１１以降の処理が行われ、照射条件Ｃ１−１，Ｃ１−２およびＣ２のいずれかが設定されることとなる。
【００７７】
また、上記実施形態においては、乳房を被写体としているが、これに限定されるものではなく、人体の胸部、腹部、頭部および四肢等の任意の部位を被写体とすることが可能である。この場合、人体の内部に何らかのインプラントが埋め込まれている場合、上記本発明の実施形態と同様に、インプラント領域を考慮した照射条件が設定されることとなる。
【００７８】
また、上記実施形態においては、ターゲットおよびフィルタの組み合わせ、管電圧、管電流および照射時間のすべてを照射条件と指定設定しているが、ターゲットおよびフィルタの組み合わせ、管電圧、管電流および照射時間の少なくとも１つを照射条件として設定してもよい。
【００７９】
また、本発明は、以上の例には限定されず、本発明の要旨を逸脱しない範囲において、各種の改良や変形を行ってもよいことはいうまでもない。
【００８０】
以下、本発明の従属項の作用効果について説明する。
【００８１】
プレ放射線画像に基づいてインプラント情報を取得することにより、正確にインプラント情報を取得でき、これにより、放射線の照射条件をより適切に設定できる。
【００８２】
また、第１の照射条件について、インプラント領域内に合わせた照射条件およびインプラント領域外に合わせた照射条件のいずれかの選択を受け付けるようにすることにより、インプラントに重なる領域の観察を重点的に行いたい場合、およびインプラントに重なる領域以外の観察を重点的に行いたい場合の双方に対応できる。
【００８３】
また、インプラント情報を取得するか否かの選択を受け付け、インプラント情報を取得しない選択がなされた場合に、第３の照射条件を設定することにより、インプラントを含まない被写体について、インプラント有りとしてしまう誤認識を防止し、放射線の照射条件をより適切に設定できる。
【符号の説明】
【００８４】
１０    医療画像支援システム
１２    マンモグラフィ撮影装置
１４    制御装置
１６    画像処理装置
３８    Ｘ線源収容部
４０    撮影台
４２    圧迫板
５０    Ｘ線源
７４    固体検出器
８０    インプラント情報取得部
８２    照射条件設定部
８４    記憶部
８６    選択部
８８    情報取得設定部
９０    入力部
９２    表示部
【図１】
2014171569.tif 000003
【図２】
2014171569.tif 000004
【図３】
2014171569.tif 000005
【図４】
2014171569.tif 000006
【図５】
2014171569.tif 000007
【図６】
2014171569.tif 000008
【図７】
2014171569.tif 000009
【図８】
2014171569.tif 000010
【図９】
2014171569.tif 000011
【図１０】
2014171569.tif 000012
【図１１】
2014171569.tif 000013